(57)【特許請求の範囲】
【請求項１】
ドアトリムに取付けたアームレストの棚部に装着されるパワーウインドフィニッシャの裏面に係止片を突設すると共に、該係止片に離間する位置における前記パワーウインドフィニッシャの裏面に形成した取付ボスにクリップ片を取付け、また、前記アームレストに、前記係止片に係合すると共に前記クリップ片が係着する係合孔を形成して、該係合孔と、前記係止片との係合及びクリップ片との係着により前記アームレストに前記パワーウインドフィニッシャを取付けるようにした自動車用ドアアームレストにおけるパワーウインドフィニッシャ取付け構造において、
前記パワーウインドフィニッシャの裏面に、前記取付ボスにおける前記係止片方向とは逆側外方に位置するように突出片を形成すると共に、前記アームレストに前記突出片が嵌合する嵌合孔を形成して、該嵌合孔と前記突出片との嵌合により、前記嵌合孔における前記アームレストの内側側壁に前記突出片を当接させて前記アームレストに前記パワーウインドフィニッシャを位置決めしたことを特徴とする自動車用ドアアームレストにおけるパワーウインドフィニッシャ取付け構造。
【発明の詳細な説明】
【０００１】
【発明の属する技術分野】
本発明は、自動車のドアにおけるドアトリムのアームレストに装着されるパワーウインドフィニッシャ取付け構造に関する。
【０００２】
【従来の技術】
図１に示すように、自動車ドアの内側に設けられるドアトリム１は、一般に、不図示のドア内側を美装するドアトリム本体１０にアームレスト２０、ポケット部３０或いはスピーカーグリル４０等を装備して構成されている。
【０００３】
そして、アームレスト２０は、従来、図１０に示すように、その棚部２０ａにパワーウインドフィニッシャ２１を装着して、カバー２２と共に、アームレスト２０の上面を美装して構成している。
【０００４】
そして、パワーウインドフィニッシャ２１の裏面の一方側（通常車体前方側）に先端に外方に折曲した折曲部２３ａを有する係止片２３を形成すると共に、他方側（通常車体後方側）に取付ボス２４を設けてあり、取付ボス２４の先端に略Ｃ形状を呈してバネ性を有するクリップ片２５を取着している。
【０００５】
又、アームレスト２０の棚部２０ａには、係止片２３およびクリップ片２５に対応して、係合孔２６を形成しており、係合孔２６の一方側壁２６ａに係止片２３の折曲部２３ａを係合し、次に、クリップ片２５を係合孔２６の一方側壁２６ａに対向する他方側壁２６ｂに弾接係合させて、パワーウインドフィニッシャ２１をアームレスト２０に装着している。
【０００６】
【発明が解決しようとする課題】
上記のように構成する従来の自動車用ドアアームレストにおけるパワーウインドフィニッシャ取付け構造においては、パワーウインドフィニッシャ２１の一方側は、外方に折曲された折曲部２３ａを有する係止片により係合して、他方側は、バネ製を有するクリップ片２５により弾接係合しているために、クリップ片２５が係合孔２６の他方側壁２６ｂ側にバネ力を持って弾着することになって、その反力によって、パワーウインドフィニッシャ２１が図１０の矢印方向（車体前方）に付勢され、カバー２２との間に隙間Ｓが発生してしまい、見栄えを悪くすると共に、ごみ等が入り込んでしまうことが考えられる。
【０００７】
本発明は、かかる点に鑑み、パワーウインドフィニッシャとアームレストのカバーとの間に隙間が発生しないように、パワーウインドフィニッシャをアームレストの棚部に確実に装着固定できるようにした自動車用ドアアームレストにおけるパワーウインドフィニッシャ取付け構造を提供することを目的としている。
【０００８】
【課題を解決するための手段】
上記目的を達成するために、本発明は、ドアトリムに取付けたアームレストの棚部に装着されるパワーウインドフィニッシャの裏面に係止片を突設すると共に、該係止片に離間する位置における前記パワーウインドフィニッシャの裏面に形成した取付ボスにクリップ片を取付け、また、前記アームレストに、前記係止片に係合すると共に前記クリップ片が係着する係合孔を形成して、該係合孔と、前記係止片との係合及びクリップ片との係着により前記アームレストに前記パワーウインドフィニッシャを取付けるようにした自動車用ドアアームレストにおけるパワーウインドフィニッシャ取付け構造において、前記パワーウインドフィニッシャの裏面に、前記取付ボスにおける前記係止片方向とは逆側外方に位置するように突出片を形成すると共に、前記アームレストに前記突出片が嵌合する嵌合孔を形成して、該嵌合孔と前記突出片との嵌合により、前記嵌合孔における前記アームレストの内側側壁に前記突出片を当接させて前記アームレストに前記パワーウインドフィニッシャを位置決めしたことを特徴とする。
【０００９】
本発明によれば、突出片は、嵌合孔に嵌合した際、嵌合孔におけるアームレストの内側側壁に当接させることによってアームレストに対して、パワーウインドフィニッシャを位置決めし、クリップ片の付勢力によりパワーウインドフィニッシャに付加される反力に抗することになって、パワーウインドフィニッシャがアームレストのカバーに対して離れることにより形成される隙間の発生を抑えることができる。
【００１０】
【発明の実施の形態】
以下、本発明における一の実施の形態について図を用いて説明する。なお、従来と同様な構成を有する場合には、同一の符号を付して説明する。
【００１１】
図１において、自動車ドアの内側に設けられるドアトリム１は、前述したように一般に、不図示のドア内側を美装するドアトリム本体１０にアームレスト２０、ポケット部３０或いはスピーカーグリル４０等を装備して構成されている。
【００１２】
そして、図２乃至図４に示すように、アームレスト２０は、その上面部を構成する棚部２０ａに、パワーウインドフィニッシャ２１を装着して、カバー２２と共に、アームレスト２０の上面を美装して構成している。
【００１３】
そして、パワーウインドフィニッシャ２１の裏面の一方側（通常車体前方側）に先端に外方に折曲した折曲部２３ａを有する係止片２３を形成すると共に、他方側（通常車体後方側）に取付ボス２４を設けてあり、取付ボス２４の先端に略Ｃ形状を呈してバネ性を有するクリップ片２５を取着している。
【００１４】
又、アームレスト２０の棚部２０ａには、係止片２３およびクリップ片２５に対応して、係合孔２６を形成しており、係合孔２６の一方側壁２６ａに係止片２３の折曲部２３ａを係合し、次に、クリップ片２５を係合孔２６の一方側壁２６ａに対向する他方側壁２６ｂに弾接係合させて、パワーウインドフィニッシャ２１をアームレスト２０に装着している。
【００１５】
本実施の形態では、更に、パワーウインドフィニッシャ２１の裏面に、取付ボス２４における係止片２３方向とは逆方向外方に位置するように、中空ボス状の突出片２７が突設されており、又、アームレスト２０の棚部２０ａ側には突出片２７が嵌合する嵌合孔２８が形成されている。
【００１６】
そして、突出片２７は、嵌合孔２８に嵌合した際、嵌合孔２８におけるアームレスト２０の内側側壁２８ａに当接して、アームレスト２０に対して、パワーウインドフィニッシャ２１を位置決め固定している。この結果、クリップ片２５の付勢力によりパワーウインドフィニッシャ２１に付加される図４の矢印方向の反力に抗することになって、パワーウインドフィニッシャ２１がアームレスト２０のカバー２２に対して離れることにより形成される隙間の発生を抑えることができる。
【００１７】
図５乃至図９は、本発明における他の実施の形態を示しており、上記一の実施の形態に対し、図５及び図６に示すものは、突出片２７を一対設けた点が異なり、また、図７乃至図９に示すものは、中空ボス状の突出片に代えて、リブ状の突出片２７に代えたものである。
【００１８】
なお、図７乃至図９に示す突出片２７は、その先端内側が面取りされてテーパ部２７ａに形成されており、このテーパ部２７ａによって、嵌合孔２８への初期嵌合がスムーズに行われるように意図している。
【００１９】
【発明の効果】
本発明は、パワーウインドフィニッシャの裏面に設けた突出片が、嵌合孔に嵌合させた際、該嵌合孔におけるアームレストの内側側壁に当接することによってアームレストに対して、パワーウインドフィニッシャを位置決めし、クリップ片の付勢力によりパワーウインドフィニッシャに付加される反力に抗することになって、パワーウインドフィニッシャがアームレストのカバーに対して離れることにより形成される隙間の発生を抑えることができ、この部位の見栄え向上に寄与すると共に、ごみ等が溜まる隙間をなくすことができる。
【図面の簡単な説明】
【図１】一般的なドアトリムを示す斜視図である。
【図２】図１におけるアームレストを拡大して示す斜視図である。
【図３】本発明による一実施の形態を示すアームレストを分解して示す一部斜視図である。
【図４】同じく、本発明の一実施の形態を示す図２におけるＢ−Ｂ断面図である。
【図５】本発明による他の実施の形態を示すアームレストを分解して示す一部斜視図である。
【図６】同じく、本発明の他の実施の形態を示す図２におけるＢ−Ｂ断面図である。
【図７】本発明による更に他の実施の形態を示すアームレストを分解して示す一部斜視図である。
【図８】同じく、本発明における更に他の実施の形態を示す図２におけるＢ−Ｂ断面図である。
【図９】同じく、本発明における更に他の実施の形態を示す図８におけるＣ−Ｃ断面図である。
【図１０】従来の上部アームレストの図１のＡ−Ａ断面図である。
【符号の説明】
１        ドアトリム
２０        アームレスト
２１        パワーウインドフィニッシャ
２２        カバー
２３        係止片
２３ａ    折曲部
２４        取付ボス
２５        クリップ片
２６        係合孔
２６ａ    一方側壁
２６ｂ    他方側壁
２７        突出片
２８        嵌合孔
２８ａ    内側側壁
【図１】
0003631055.tif 000002
【図２】
0003631055.tif 000003
【図３】
0003631055.tif 000004
【図４】
0003631055.tif 000005
【図５】
0003631055.tif 000006
【図６】
0003631055.tif 000007
【図７】
0003631055.tif 000008
【図８】
0003631055.tif 000009
【図９】
0003631055.tif 000010
【図１０】
0003631055.tif 000011